【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
主軸の一端に取り付けられた電極と加工液を介して前記電極に対向配置された被加工物との間にパルス電圧を印加して、前記被加工物を加工するための形彫放電加工機のジャンプ制御装置であって、
前記主軸の駆動量を制御して前記被加工物に対する前記電極の垂直位置を制御するための軸送り制御部と、
前記電極の先端の加工面から前記被加工物の上面までの長さｈ、前記被加工物の上面における前記電極の外周長Ｌ、前記電極の先端の加工面積Ｓ、前記電極と前記被加工物との隙間ｄおよび前記電極の先端幅ｗの中のパラメータを用いて、パルス放電後に前記電極をジャンプ運動させるためのジャンプアップ量ｊｕを推論して前記軸送り制御部に入力するジャンプ条件推論部とを備え、
前記軸送り制御部は、前記ジャンプ条件推論部が推論した前記ジャンプアップ量ｊｕを用いて前記電極の垂直位置をフィードフォワード制御することを特徴とする形彫放電加工機のジャンプ制御装置。
【請求項２】
前記ジャンプ条件推論部は、以下の式
ｊｕ＝ｄ・ｈ・Ｌ／Ｓ
を用いて、前記ジャンプアップ量ｊｕを推論することを特徴とする請求項１に記載の形彫放電加工機のジャンプ制御装置。
【請求項３】
前記ジャンプ条件推論部は、以下の式
ｊｕ＝２ｄ・ｈ／ｗ
を用いて、前記ジャンプアップ量ｊｕを推論することを特徴とする請求項１に記載の形彫放電加工機のジャンプ制御装置。
【請求項４】
主軸の一端に取り付けられた電極と加工液を介して前記電極に対向配置された被加工物との間にパルス電圧を印加して、前記被加工物を加工するための形彫放電加工機のジャンプ制御装置であって、
前記主軸の駆動量を制御して前記被加工物に対する前記電極の垂直位置を制御するための軸送り制御部と、
前記被加工物の上面における前記電極の外周長Ｌ、前記電極の先端の加工面積Ｓ、前記電極の先端幅ｗ、前記加工液の動粘度ｎおよび前記加工液のレイノルズ数Ｒｅの中のパラメータを用いて、パルス放電後に前記電極をジャンプ運動させるためのジャンプ速度ｊｍｐを推論して前記軸送り制御部に入力するジャンプ条件推論部とを備え、
前記軸送り制御部は、前記ジャンプ条件推論部が推論した前記ジャンプ速度ｊｍｐを用いて前記電極の垂直位置をフィードフォワード制御することを特徴とする形彫放電加工機のジャンプ制御装置。
【請求項５】
前記ジャンプ条件推論部は、以下の式
ｊｍｐ＝Ｒｅ・Ｌ・ｎ／Ｓ
を用いて、前記ジャンプアップ速度ｊｍｐを推論することを特徴とする請求項４に記載の形彫放電加工機のジャンプ制御装置。
【請求項６】
前記ジャンプ条件推論部は、以下の式
ｊｍｐ＝２Ｒｅ・ｎ／ｗ
を用いて、前記ジャンプアップ速度ｊｍｐを推論することを特徴とする請求項４に記載の形彫放電加工機のジャンプ制御装置。
【手続補正２】
【補正対象書類名】明細書
【補正対象項目名】００１３
【補正方法】変更
【補正の内容】
【００１３】
この発明による形彫放電加工機のジャンプ制御装置は、主軸の一端に取り付けられた電極と加工液を介して電極に対向配置された被加工物との間にパルス電圧を印加して、被加工物を加工するための形彫放電加工機のジャンプ制御装置であって、主軸の駆動量を制御して被加工物に対する電極の垂直位置を制御するための軸送り制御部と、電極の先端の加工面から被加工物の上面までの長さｈ、被加工物の上面における電極の外周長Ｌ、電極の先端の加工面積Ｓ、電極と被加工物との隙間ｄおよび電極の先端幅ｗの中のパラメータを用いて、パルス放電後に電極をジャンプ運動させるためのジャンプアップ量ｊｕを推論して軸送り制御部に入力するジャンプ条件推論部とを備え、軸送り制御部は、ジャンプ条件推論部が推論したジャンプアップ量ｊｕを用いて電極の垂直位置をフィードフォワード制御するものである。
また、この発明による形彫放電加工機のジャンプ制御装置は、主軸の一端に取り付けられた電極と加工液を介して電極に対向配置された被加工物との間にパルス電圧を印加して、被加工物を加工するための形彫放電加工機のジャンプ制御装置であって、主軸の駆動量を制御して被加工物に対する電極の垂直位置を制御するための軸送り制御部と、被加工物の上面における電極の外周長Ｌ、電極の先端の加工面積Ｓ、電極の先端幅ｗ、加工液の動粘度ｎおよび加工液のレイノルズ数Ｒｅの中のパラメータを用いて、パルス放電後に電極をジャンプ運動させるためのジャンプ速度ｊｍｐを推論して軸送り制御部に入力するジャンプ条件推論部とを備え、軸送り制御部は、ジャンプ条件推論部が推論したジャンプ速度ｊｍｐを用いて電極の垂直位置をフィードフォワード制御するものである。
【手続補正３】
【補正対象書類名】明細書
【補正対象項目名】００８８
【補正方法】変更
【補正の内容】
【００８８】
以上のように、この発明の請求項１によれば、主軸の一端に取り付けられた電極と加工液を介して電極に対向配置された被加工物との間にパルス電圧を印加して、被加工物を加工するための形彫放電加工機のジャンプ制御装置であって、主軸の駆動量を制御して被加工物に対する電極の垂直位置を制御するための軸送り制御部と、電極の先端の加工面から被加工物の上面までの長さｈ、被加工物の上面における電極の外周長Ｌ、電極の先端の加工面積Ｓ、電極と被加工物との隙間ｄおよび電極の先端幅ｗの中のパラメータを用いて、パルス放電後に電極をジャンプ運動させるためのジャンプアップ量ｊｕを推論して軸送り制御部に入力するジャンプ条件推論部とを備え、軸送り制御部は、ジャンプ条件推論部が推論したジャンプアップ量ｊｕを用いて電極の垂直位置をフィードフォワード制御するようにしたので、加工形状の違いによらず、速やかに且つ確実にスラッジを排出して、加工時間を短縮するとともに加工精度を向上させた形彫放電加工機のジャンプ制御装置が得られる効果がある。
【手続補正４】
【補正対象書類名】明細書
【補正対象項目名】００９１
【補正方法】変更
【補正の内容】
【００９１】
また、この発明の請求項４によれば、主軸の一端に取り付けられた電極と加工液を介して電極に対向配置された被加工物との間にパルス電圧を印加して、被加工物を加工するための形彫放電加工機のジャンプ制御装置であって、主軸の駆動量を制御して被加工物に対する電極の垂直位置を制御するための軸送り制御部と、被加工物の上面における電極の外周長Ｌ、電極の先端の加工面積Ｓ、電極の先端幅ｗ、加工液の動粘度ｎおよび加工液のレイノルズ数Ｒｅの中のパラメータを用いて、パルス放電後に電極をジャンプ運動させるためのジャンプ速度ｊｍｐを推論して軸送り制御部に入力するジャンプ条件推論部とを備え、軸送り制御部は、ジャンプ条件推論部が推論したジャンプ速度ｊｍｐを用いて電極の垂直位置をフィードフォワード制御するようにしたので、加工形状の違いによらず、速やかに且つ確実にスラッジを排出して、加工時間を短縮するとともに加工精度を向上させた形彫放電加工機のジャンプ制御装置が得られる効果がある。
また、この発明の請求項５によれば、ジャンプ条件推論部は、以下の式
ｊｍｐ＝Ｒｅ・Ｌ・ｎ／Ｓ
を用いて、ジャンプアップ速度ｊｍｐを推論するようにしたので、加工形状や加工液の動粘度ｎの違いによらず、速やかに且つ確実にスラッジを排出して、加工時間を短縮するとともに加工精度を向上させた形彫放電加工機のジャンプ制御装置が得られる効果がある。
【手続補正５】
【補正対象書類名】明細書
【補正対象項目名】００９２
【補正方法】変更
【補正の内容】
【００９２】
また、この発明の請求項６によれば、ジャンプ条件推論部は、以下の式
ｊｍｐ＝２Ｒｅ・ｎ／ｗ
を用いて、ジャンプアップ速度ｊｍｐを推論するようにしたので、加工形状や加工液の動粘度ｎの違いによらず、速やかに且つ確実にスラッジを排出して、加工時間を短縮するとともに加工精度を向上させた形彫放電加工機のジャンプ制御装置が得られる効果がある。
また、特にリブ形状の場合に、ジャンプ条件の推論を簡略化させた形彫放電加工機のジャンプ制御装置が得られる効果がある。